(57)【要約】  本開示の実施例は、パワーヘッドルームＰＨの算出方法及び端末を提供し、該方法は、パスロスリファレンスの変更指示を受信することと、前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出することとを含む。【選択図】図１
2021528892.tif 000002
【特許請求の範囲】
【請求項１】
端末に適用されるパワーヘッドルームＰＨの算出方法であって、
パスロスリファレンスの変更指示を受信することと、
前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出することとを含む、パワーヘッドルームＰＨの算出方法。
【請求項２】
前記特定のパスロスリファレンスは、
最も新しく使用されたパスロスリファレンス、又は
前記端末がパワーヘッドルームレポートＰＨＲをトリガーする時間である第１の時間、又は前記端末がパワーヘッドルームレポートＰＨＲを含むプロトコルデータユニットＰＤＵを生成する時間又はパワーヘッドルームレポートＰＨＲを報告する時刻よりも前の指定時間である第２の時間に対応するパスロスリファレンスを含む、請求項１に記載のパワーヘッドルームＰＨの算出方法。
【請求項３】
前記第１の時間に対応するパスロスリファレンスは、
前記第１の時間に使用されたパスロスリファレンスを含み、及び／又は
前記第２の時間に対応するパスロスリファレンスは、
前記第２の時間に使用されたパスロスリファレンス、又は前記第２の時間よりも前に最も新しく使用されたパスロスリファレンスを含む、請求項２に記載のパワーヘッドルームＰＨの算出方法。
【請求項４】
前記パスロスリファレンスの変更指示の受信時間が、前記第２の時間よりも前の場合、前記最も新しく使用されたパスロスリファレンスは、前記パスロスリファレンスの変更指示により変更されたパスロスリファレンスを含み、又は
前記パスロスリファレンスの変更指示の受信時間が前記第２の時間よりも後の場合、又は前記パスロスリファレンスの変更指示の受信時間が前記第２の時間と重なる場合、前記最も新しく使用されたパスロスリファレンスは、前記パスロスリファレンスの変更指示により変更されたパスロスリファレンスを含み、前記端末は、前記パワーヘッドルームレポートＰＨＲにおけるパワーヘッドルームＰＨ値を、前記変更されたパスロスリファレンスを採用して算出したパワーヘッドルームＰＨに変更する、請求項２に記載のパワーヘッドルームＰＨの算出方法。
【請求項５】
前記パスロスリファレンスの変更指示の受信時間が、前記第２の時間よりも前の場合、前記第２の時間に対応するパスロスリファレンスは、前記パスロスリファレンスの変更指示により変更されたパスロスリファレンスを含み、或いは、
前記パスロスリファレンスの変更指示の受信時間が、前記第２の時間よりも後の場合、前記第２の時間に対応するパスロスリファレンスは、前記パスロスリファレンスの変更指示により変更される前のパスロスリファレンスを含み、或いは、
前記パスロスリファレンスの変更指示の受信時間が、前記第２の時間と重なる場合、前記第２の時間に対応するパスロスリファレンスは、前記パスロスリファレンスの変更指示により変更される前のパスロスリファレンス、又は前記パスロスリファレンスの変更指示により変更されたパスロスリファレンスを含む、請求項２に記載のパワーヘッドルームＰＨの算出方法。
【請求項６】
前記パスロスリファレンスの変更指示の受信時間が、前記第１の時間よりも前の場合、前記第１の時間に使用されたパスロスリファレンスは、前記パスロスリファレンスの変更指示により変更されたパスロスリファレンスを含み、或いは、
前記パスロスリファレンスの変更指示の受信時間が、前記第１の時間よりも後の場合、前記第１の時間に使用された前記パスロスリファレンスは、前記パスロスリファレンスの変更指示により変更される前のパスロスリファレンスを含み、或いは、
前記パスロスリファレンスの変更指示の受信時間が、前記第１の時間と重なる場合、前記第１の時間に使用された前記パスロスリファレンスは、前記パスロスリファレンスの変更指示により変更される前のパスロスリファレンス、又は前記パスロスリファレンスの変更指示により変更されたパスロスリファレンスを含む、請求項３に記載のパワーヘッドルームＰＨの算出方法。
【請求項７】
パスロスリファレンスの変更指示を受信するための受信モジュールと、
前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出するための算出モジュールと、を含む、端末。
【請求項８】
前記特定のパスロスリファレンスは、
最も新しく使用されたパスロスリファレンス、又は
前記端末がパワーヘッドルームレポートＰＨＲをトリガーする時間である第１の時間、又は前記端末がパワーヘッドルームレポートＰＨＲを含むプロトコルデータユニットＰＤＵを生成する時間又はパワーヘッドルームレポートＰＨＲを報告する時刻よりも前の指定時間である第２の時間に対応するパスロスリファレンスを含む、請求項７に記載の端末。
【請求項９】
前記第１の時間に対応するパスロスリファレンスは、
前記第１の時間に使用されたパスロスリファレンス、及び／又は
前記第２の時間に対応するパスロスリファレンスは、
前記第２の時間に使用されたパスロスリファレンス、又は前記第２の時間よりも前に最も新しく使用されたパスロスリファレンスを含む、請求項８に記載の端末。
【請求項１０】
前記パスロスリファレンスの変更指示の受信時間が、前記第２の時間よりも前の場合、前記最も新しく使用されたパスロスリファレンスは、前記パスロスリファレンスの変更指示により変更されたパスロスリファレンスを含み、或いは、
前記パスロスリファレンスの変更指示の受信時間が前記第２の時間よりも後の場合、又は前記パスロスリファレンスの変更指示の受信時間が前記第２の時間と重なる場合、前記最も新しく使用されたパスロスリファレンスは、前記パスロスリファレンスの変更指示により変更されたパスロスリファレンスを含み、前記端末は、前記パワーヘッドルームレポートＰＨＲにおけるパワーヘッドルームＰＨ値を、前記変更されたパスロスリファレンスを採用して算出したパワーヘッドルームＰＨに変更する、請求項９に記載の端末。
【請求項１１】
前記パスロスリファレンスの変更指示の受信時間が、前記第２の時間よりも前の場合、前記第２の時間に対応するパスロスリファレンスは、前記パスロスリファレンスの変更指示により変更されたパスロスリファレンスを含み、或いは、
前記パスロスリファレンスの変更指示の受信時間が、前記第２の時間よりも後の場合、前記第２の時間に対応するパスロスリファレンスは、前記パスロスリファレンスの変更指示により変更される前のパスロスリファレンスを含み、或いは、
前記パスロスリファレンスの変更指示の受信時間が、前記第２の時間と重なる場合、前記第２の時間に対応するパスロスリファレンスは、前記パスロスリファレンスの変更指示により変更される前のパスロスリファレンス、又は前記パスロスリファレンスの変更指示により変更されたパスロスリファレンスを含む、請求項８に記載の端末。
【請求項１２】
前記パスロスリファレンスの変更指示の受信時間が、前記第１の時間よりも前の場合、前記第１の時間に使用されたパスロスリファレンスは、前記パスロスリファレンスの変更指示により変更されたパスロスリファレンスを含み、或いは、
前記パスロスリファレンスの変更指示の受信時間が、前記第１の時間よりも後の場合、前記第１の時間に使用された前記パスロスリファレンスは、前記パスロスリファレンスの変更指示により変更される前のパスロスリファレンスを含み、或いは、
前記パスロスリファレンスの変更指示の受信時間が、前記第１の時間と重なる場合、前記第１の時間に使用された前記パスロスリファレンスは、前記パスロスリファレンスの変更指示により変更される前のパスロスリファレンス、又は前記パスロスリファレンスの変更指示により変更されたパスロスリファレンスを含む、請求項９に記載の端末。
【請求項１３】
メモリと、プロセッサと、前記メモリに記憶されて前記プロセッサ上で実行可能で、前記プロセッサによって実行されると、請求項１〜６のいずれか１項に記載のパワーヘッドルームＰＨの算出方法を実現するコンピュータプログラムとを含む、端末。
【請求項１４】
コンピュータプログラムが記憶されているコンピュータ読み取り可能な記憶媒体であって、
前記コンピュータプログラムがプロセッサにより実行されると、請求項１〜６のいずれか１項に記載のパワーヘッドルームＰＨの算出方法が実現されるコンピュータ読み取り可能な記憶媒体コンピュータ読み取り可能な記憶媒体。
【発明の詳細な説明】
【技術分野】
【０００１】
（関連出願の相互参照）
本願は、２０１８年６月１９日に提出された中国特許出願第２０１８１０６３１１６８．０号の優先権を主張するものであり、その全ての内容は参照により本願に取り込まれるものとする。
本開示は、通信の技術分野に関し、特にパワーヘッドルーム（Ｐｏｗｅｒ  Ｈｅａｄｒｏｏｍ、ＰＨ）の算出方法及び端末に関する。
【背景技術】
【０００２】
通信システムにおいて、端末は、パワーヘッドルームレポート（Ｐｏｗｅｒ  Ｈｅａｄｒｏｏｍ  Ｒｅｐｏｒｔ、ＰＨＲ）を報告する必要があり、パワーヘッドルームレポートＰＨＲには、セルパワーヘッドルームと呼ばれてもよいＰＨが含まれ、当然ながら、セル最大送信電力（Ｐｃｍａｘ．ｃ）が含まれてもよい。ＰＨは、端末がパスロスリファレンス（Ｐａｔｈ  ｌｏｓｓ  ｒｅｆｅｒｅｎｃｅ）の測定によって得られる数値などに基づいて算出したものであるが、現在の通信システムにおいて、パスロスリファレンスは、いずれも端末に予め設定され、つまり、端末が取得したパスロスリファレンスは常に変化しないため、ＰＨを報告する性能が低い。
【発明の概要】
【発明が解決しようとする課題】
【０００３】
本開示の実施例は、端末によってＰＨを報告する性能が低いことを解決するために、ＰＨの算出方法及び端末を提供する。
【課題を解決するための手段】
【０００４】
第１の態様では、本開示の実施例に係る、端末に適用されるＰＨの算出方法は、
パスロスリファレンスの変更指示を受信することと、
前記パスロスリファレンスの変更指示により変更される前のパスロスリファレンス、又は前記パスロスリファレンスの変更指示により変更されたパスロスリファレンスを含む特定のパスロスリファレンスを採用してＰＨを算出することと、を含む。
【０００５】
第２の態様では、本開示の実施例に係る端末は、
パスロスリファレンスの変更指示を受信するための受信モジュールと、
前記パスロスリファレンスの変更指示により変更される前のパスロスリファレンス、又は前記パスロスリファレンスの変更指示により変更されたパスロスリファレンスを含む特定のパスロスリファレンスを採用してＰＨを算出するための算出モジュールと、を含む。
【０００６】
第３の態様では、本開示の実施例に係る端末は、メモリと、プロセッサと、前記メモリに記憶されて前記プロセッサ上で実行可能で、前記プロセッサによって実行されると、本開示の実施例に係るＰＨの算出方法のステップを実現するコンピュータプログラムと、を含む。
【０００７】
第４の態様では、本開示の実施例に係るコンピュータ読み取り可能な記憶媒体は、プロセッサによって実行されると、本開示の実施例に係るＰＨの算出方法のステップを実現するコンピュータプログラムが記憶されている。
【発明の効果】
【０００８】
本開示の実施例では、パスロスリファレンスの変更指示を受信し、前記パスロスリファレンスの変更指示により変更される前のパスロスリファレンス、又は前記パスロスリファレンスの変更指示により変更されたパスロスリファレンスを含む特定のパスロスリファレンスを採用してＰＨを算出する。このように、端末がＰＨを報告する性能を向上させることができる。
【０００９】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【図面の簡単な説明】
【００１０】
【図１】本開示の実施例が適用可能なネットワークシステムの構成図である。
【図２】本開示の実施例に係るＰＨの算出方法のフローチャートである。
【図３】本開示の実施例に係る別のＰＨの算出方法のフローチャートである。
【図４】本開示の実施例に係るパスロスリファレンスの変更指示送信の概略図である。
【図５】本開示の実施例に係る端末の構成図である。
【図６】本開示の実施例に係る別の端末の構成図である。
【発明を実施するための形態】
【００１１】
以下、本開示の実施例における図面を参照しながら、本開示の実施例における技術手段を明確かつ完全的に説明する。明らかに、説明される実施例は、本開示の実施例の一部であり、全てではない。本開示の実施例に基づいて、当業者が創造的な労働をしない前提で得られる他の全ての実施例は、いずれも本開示の保護範囲に属するものである。
【００１２】
本願の明細書及び特許請求の範囲における用語「含む」及びその任意の変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、製品又は装置に固有の、他のステップ又はユニットを含んでよい。また、明細書及び特許請求の範囲において使用される「及び／又は」は、接続している対象の少なくとも１つを表し、例えば、Ａ及び／又はＢは、Ａのみが存在すること、Ｂのみが存在すること、Ａ及びＢの両方が存在すること、の３つの場合を表す。
【００１３】
本開示の実施例において、「例示的」又は「例えば」などの用語は、例、例証又は例示として表すためのものである。本開示の実施例において、「例示的」又は「例えば」と説明される任意の実施例又は設計案は、他の実施例又は設計案よりも好ましい又は有利であると解釈されるべきではない。具体的には、使用される「例示的」又は「例えば」などの用語は、関連する概念を具体的に提示することを目的とする。
【００１４】
以下、図面を参照しながら、本開示の実施例を説明する。本開示の実施例に係るパワーヘッドルームＰＨの算出方法及び端末は、無線通信システムに適用することができる。該無線通信システムは、５Ｇシステム、又は進化型ロングタームエボリューション（Ｅｖｏｌｖｅｄ  Ｌｏｎｇ  Ｔｅｒｍ  Ｅｖｏｌｕｔｉｏｎ、ｅＬＴＥ）システム、又は後続進化通信システムを採用することができる。
【００１５】
図１は、本開示の実施例が適用可能なネットワークシステムの構成図であり、図１に示すように、端末１１と基地局１２を含み、端末１１は、ユーザ端末（Ｕｓｅｒ  Ｅｑｕｉｐｍｅｎｔ、ＵＥ）又は他の端末側装置、例えば、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）などの端末側装置であってよい。なお、本開示の実施例において、端末１１の具体的なタイプを限定しない。上記基地局１２は、４Ｇ基地局又は５Ｇ基地局、又はより新しいバージョンの基地局、又は他の通信システムにおける基地局であってよく、或いは、ノードＢ、進化型ノードＢ又は上記分野における他の用語と呼ばれ、同じ技術的効果を達成するものであれば、上記基地局は特定の技術用語に限定されない。また、上記基地局１２は、マスターノード（Ｍａｓｔｅｒ  Ｎｏｄｅ、ＭＮ）又はセカンダリノード（Ｓｅｃｏｎｄａｒｙ  Ｎｏｄｅ、ＳＮ）であってよい。なお、本開示の実施例において、５Ｇ基地局のみを例とするが、基地局の具体的なタイプを限定しない。
【００１６】
図２は、本開示の実施例に係るパワーヘッドルームＰＨの算出方法のフローチャートであり、該方法は、端末に適用され、図２に示すように、以下のステップ２０１〜２０２を含む。
【００１７】
ステップ２０１では、パスロスリファレンスの変更指示（Ｃｈａｎｇｅ  ｏｆ  ｐａｔｈ  ｌｏｓｓ  ｒｅｆｅｒｅｎｃｅ）を受信する。
【００１８】
上記は、端末が基地局から送信されるパスロスリファレンスの変更指示を受信してもよいし、当然ながら、他の端末から送信されるなど、他のデバイスから送信される可能性も排除されない。
【００１９】
また、上記パスロスリファレンスの変更指示は、パスロスリファレンスの変更指示により変更される前のパスロスリファレンスと理解される第１のパスロスリファレンスを、パスロスリファレンスの変更指示により変更されたパスロスリファレンスと理解される第２のパスロスリファレンスに変更するように指示する。
【００２０】
なお、ここでの第１のパスロスリファレンスは、１つ以上のパスロスリファレンスを指してよく、同様に、第２のパスロスリファレンスは、１つ以上のパスロスリファレンスを指してよい。例えば、第１のパスロスリファレンスは、同期信号ブロック（Ｓｙｎｃｈｒｏｎｏｕｓ  Ｓｉｇｎａｌ  Ｂｌｏｃｋ、ＳＳＢ）１に対応するパスロスリファレンス、ＳＳＢ２に対応するパスロスパスロスリファレンス、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）のパスロスリファレンス、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）のパスロスリファレンス、及びサウンディング参照信号（Ｓｏｕｎｄｉｎｇ  Ｒｅｆｅｒｅｎｃｅ  Ｓｉｇｎａｌ、ＳＲＳ）のパスロスリファレンスなどのうちの１つ以上を含み得る場合、上記パスロスリファレンスの変更指示は、これらのパスロスリファレンスを他のパスロスリファレンスに変更するものであってよい。
【００２１】
また、上記パスロスリファレンスの変更指示は、媒体アクセス制御層の制御ユニット（Ｍｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ）又は物理ダウンリンク制御チャンネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）などにより、端末の現在使用されているパスロスリファレンスを変更するように指示することができる。
【００２２】
さらに、端末は、上記パスロスリファレンスの変更指示を受信すると、パスロスリファレンスの変更を行うことができ、例えば、第１のパスロスリファレンスを第２のパスロスリファレンスに変更する。
【００２３】
ステップ２０２では、前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出する。
【００２４】
上記特定のパスロスリファレンスは、パワーヘッドルームＰＨを算出する時間、パワーヘッドルームレポートＰＨＲをトリガーする時間、又はパワーヘッドルームレポートＰＨＲを含むプロトコルデータユニット（Ｐｒｏｔｏｃｏｌ  Ｄａｔａ  Ｕｎｉｔ、ＰＤＵ）を生成する時間に基づいて決定されてよい。例えば、異なる場合に応じて、特定のパスロスリファレンスがパスロスリファレンスの変更指示により変更される前のパスロスリファレンス、又はパスロスリファレンスの変更指示により変更されたパスロスリファレンスを含むことを決定することができる。上記プロトコルデータユニットＰＤＵは、媒体アクセス制御層（Ｍｅｄｉｕｍ  Ａｃｃｅｓｓ  Ｃｏｎｔｒｏｌ、ＭＡＣ）プロトコルデータユニットＰＤＵであってよい。
【００２５】
また、上記パワーヘッドルームＰＨは、
端末が物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）を送信するパワーヘッドルームＰＨ値、
端末がＰＵＳＣＨと物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を送信するパワーヘッドルームＰＨ値、
端末がサウンディング参照信号（Ｓｏｕｎｄｉｎｇ  Ｒｅｆｅｒｅｎｃｅ  Ｓｉｇｎａｌ、ＳＲＳ）を送信するパワーヘッドルームＰＨ値のうちの１つ以上を含んでよい。
【００２６】
上記ステップにおいて、パスロスリファレンスの変更指示を受信することにより、パワーヘッドルームＰＨを算出するとき、パスロスリファレンスの変更指示により変更される前のパスロスリファレンス、又はパスロスリファレンスの変更指示により変更されたパスロスリファレンスを選択し、さらに、端末がパワーヘッドルームＰＨを報告する性能を向上させることができる。これは、端末が異なるシーンの要求、又はパスロスリファレンスの変更指示の受信時間などの要因に応じて、適切なパスロスリファレンスを選択してパワーヘッドルームＰＨを算出できるためである。なお、本開示の実施例では、ステップ２０１とステップ２０２の実行順序を限定せず、例えば、上記パスロスリファレンスの変更指示の受信時間がパワーヘッドルームレポートＰＨＲを含むプロトコルデータユニットＰＤＵを生成する時間よりも後の場合、ステップ２０１がステップ２０２の後に実行されてよく、或いは上記パスロスリファレンスの変更指示の受信時間がパワーヘッドルームレポートＰＨＲを含むプロトコルデータユニットＰＤＵを生成する時間よりも前の場合、ステップ２０１がステップ２０２の前に実行されてよく、図面において、この場合を例として説明する。
【００２７】
本開示の実施例では、パスロスリファレンスの変更指示を受信し、前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出する。このように、端末がパワーヘッドルームＰＨを報告する性能を向上させることができる。
【００２８】
図３は、本開示の実施例に係る別のパワーヘッドルームＰＨの算出方法のフローチャートであり、該方法は、端末に適用され、図３に示すように、以下のステップ３０１〜３０２を含む。
【００２９】
ステップ３０１では、パスロスリファレンスの変更指示を受信する。
【００３０】
ステップ３０２では、前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出する。
【００３１】
好ましい実施形態として、前記特定パスロスリファレンスは、
最も新しく使用されたパスロスリファレンスを含む。
【００３２】
上記最も新しく使用されたパスロスリファレンスは、端末が直近に使用したパスロスリファレンスであってよく、例えば、パスロスリファレンスの変更指示を受信していない場合、最も新しく使用されたパスロスリファレンスは、該パスロスリファレンスの変更指示により変更される前のパスロスリファレンスであり、パスロスリファレンスの変更指示を受信した場合、最も新しく使用されたパスロスリファレンスは、パスロスリファレンスの変更指示により変更されたパスロスリファレンスである。これは、端末が上記パスロスリファレンスの変更指示を受信した後、パスロスリファレンスを変更できるためである。
【００３３】
このように、最も新しく使用されたパスロスリファレンスでパワーヘッドルームＰＨを算出して、端末が基地局に報告したパワーヘッドルームレポートＰＨＲにおけるパワーヘッドルームＰＨが、基地局がパワーヘッドルームＰＨを算出するために採用したパスロスリファレンスと一致させることにより、報告の正確性を向上させることができる。
【００３４】
好ましい実施形態では、前記パスロスリファレンスの変更指示の受信時間が第２の時間よりも前の場合、前記最も新しく使用されたパスロスリファレンスは、前記パスロスリファレンスの変更指示により変更されたパスロスリファレンスを含み、或いは、
前記パスロスリファレンスの変更指示の受信時間が前記第２の時間よりも後の場合、又は前記パスロスリファレンスの変更指示の受信時間が前記第２の時間と重なる場合、前記最も新しく使用されたパスロスリファレンスは、前記パスロスリファレンスの変更指示により変更されたパスロスリファレンスを含み、前記端末は、前記パワーヘッドルームレポートＰＨＲにおけるパワーヘッドルームＰＨ値を、前記変更されたパスロスリファレンスを採用して算出したパワーヘッドルームＰＨに変更する。
【００３５】
上記第２の時間は、前記端末がパワーヘッドルームレポートＰＨＲを含むプロトコルデータユニットＰＤＵを生成する時間又はパワーヘッドルームレポートＰＨＲを報告する時刻よりも前の指定時間である。また、上記パスロスリファレンスの変更指示の受信時間が前記第２の時間と重なることは、パワーヘッドルームレポートＰＨＲを含むプロトコルデータユニットＰＤＵを生成すると同時に、上記パスロスリファレンスの変更指示を受信することを指してよい。
【００３６】
該実施形態では、パスロスリファレンスの変更指示の受信時間が前記第２の時間よりも前の場合、パスロスリファレンスの変更指示により変更されたパスロスリファレンスを採用してパワーヘッドルームＰＨを算出すること、また、前記パスロスリファレンスの変更指示の受信時間が前記第２の時間よりも後の場合又は前記パスロスリファレンスの変更指示の受信時間が前記第２の時間と重なる場合、パスロスリファレンスの変更指示により変更されたパスロスリファレンスを採用してパワーヘッドルームＰＨを算出し、パワーヘッドルームレポートＰＨＲにおけるパワーヘッドルームＰＨ値を、変更されたパスロスリファレンスを採用して算出したパワーヘッドルームＰＨに変更させることができる。それにより、端末が基地局に報告したパワーヘッドルームレポートＰＨＲにおけるパワーヘッドルームＰＨが、基地局がパワーヘッドルームＰＨを算出するために採用したパスロスリファレンスと一致することを保証し、報告の正確性を向上させることができる。
【００３７】
別の好ましい実施形態として、前記特定のパスロスリファレンスは、
前記端末がパワーヘッドルームレポートＰＨＲをトリガーする（ＰＨＲ  ｔｒｉｇｇｅｒ）時間である第１の時間、又は前記端末がパワーヘッドルームレポートＰＨＲを含むプロトコルデータユニットＰＤＵを生成する時間又はパワーヘッドルームレポートＰＨＲを報告する時刻よりも前の指定時間である第２の時間に対応するパスロスリファレンスを含む。
【００３８】
上記パワーヘッドルームレポートＰＨＲを含むプロトコルデータユニットＰＤＵを生成する時間は、パワーヘッドルームレポートＰＨＲを含むＭＡＣ  ＰＤＵ（ＰＨＲ  ＭＡＣ  ＰＤＵ  Ａｓｓｅｍｂｌｙ）を生成する時間であってよい。
【００３９】
また、上記第１の時間に対応するパスロスリファレンスは、第１の時間に応じて決定され、かつ第１の時間と特定の関係があるパスロスリファレンスであってよく、例えば、前記第１の時間に対応するパスロスリファレンスは、前記第１の時間に使用されたパスロスリファレンスを含む。第１の時間にパスロスリファレンスを変更しない場合、前記第１の時間に使用されたパスロスリファレンスは、第１の時間よりも前に使用されたパスロスリファレンスを含んでよく、また、第１の時間にパスロスリファレンスを変更する（例えば、第１の時間にパスロスリファレンスを受信する）場合、前記第１の時間に使用されたパスロスリファレンスは、現在変更されたパスロスリファレンスを含んでよい。
【００４０】
前記第１の時間に使用されたパスロスリファレンスでパワーヘッドルームＰＨを算出するため、端末が基地局に報告したパワーヘッドルームレポートＰＨＲにおけるパワーヘッドルームＰＨが、基地局がパワーヘッドルームＰＨを算出するために採用したパスロスリファレンスと一致させることにより、報告の正確性を向上させることができる。
【００４１】
当然ながら、いくつかの実施形態では、上記第１の時間と特定の関係があるパスロスリファレンスは、第１の時間よりも前に使用されたパスロスリファレンスであってもよく、この場合、第１の時間にパスロスリファレンスの変更指示を受信したか否かを考慮しなくてよい。
【００４２】
また、上記第２の時間に対応するパスロスリファレンスは、第２の時間に応じて決定され、かつ第２の時間と特定の関係があるパスロスリファレンスであってよく、例えば、前記第２の時間に対応するパスロスリファレンスは、前記第２の時間に使用されたパスロスリファレンス、又は前記第２の時間よりも前に最も新しく使用されたパスロスリファレンスを含む。
【００４３】
前記第２の時間よりも前に最も新しく使用された上記パスロスリファレンスは、第２の時間よりも前に、端末が直近に使用したパスロスリファレンスであってよく、例えば、第２の時間よりも後、又は第２の時間にパスロスリファレンスの変更指示を受信する場合、第２の時間よりも前に、端末が直近に使用したパスロスリファレンスは、パスロスリファレンスの変更指示により変更される前のパスロスリファレンスである。
【００４４】
前記第２の時間に使用されたパスロスリファレンス、又は前記第２の時間よりも前に最も新しく使用されたパスロスリファレンスを使用するため、端末が基地局に報告したパワーヘッドルームレポートＰＨＲにおけるパワーヘッドルームＰＨが、基地局がパワーヘッドルームＰＨを算出するために採用したパスロスリファレンスと一致させることにより、報告の正確性を向上させることができる。
【００４５】
好ましい実施形態では、前記パスロスリファレンスの変更指示の受信時間が、前記第２の時間よりも前の場合、前記第２の時間に対応するパスロスリファレンスは、前記パスロスリファレンスの変更指示により変更されたパスロスリファレンスを含み、或いは、
前記パスロスリファレンスの変更指示の受信時間が、前記第２の時間よりも後の場合、前記第２の時間に対応するパスロスリファレンスは、前記パスロスリファレンスの変更指示により変更される前のパスロスリファレンスを含み、或いは、
前記パスロスリファレンスの変更指示の受信時間が、前記第２の時間と重なる場合、前記第２の時間に対応するパスロスリファレンスは、前記パスロスリファレンスの変更指示により変更される前のパスロスリファレンス、又は前記パスロスリファレンスの変更指示により変更されたパスロスリファレンスを含む。
【００４６】
この実施形態では、パスロスリファレンスの変更指示の受信時間が第２の時間よりも前の場合、パスロスリファレンスの変更指示により変更されたパスロスリファレンスを採用してパワーヘッドルームＰＨを算出させることにより、端末が基地局に報告したパワーヘッドルームレポートＰＨＲにおけるパワーヘッドルームＰＨが、基地局がパワーヘッドルームＰＨを算出するために採用したパスロスリファレンスと一致することを保証し、報告の正確性を向上させることができる。
【００４７】
さらに、パスロスリファレンスの変更指示の受信時間が前記第２の時間よりも後の場合、パスロスリファレンスの変更指示により変更される前のパスロスリファレンスを採用してパワーヘッドルームＰＨを算出させることにより、変更されたパスロスリファレンスを用いてパワーヘッドルームＰＨを再び算出する必要がないため、パワーヘッドルームレポートＰＨＲの報告効率を向上させることができる。
【００４８】
さらに、上記受信時間が前記第２の時間と重なる場合、パスロスリファレンスの変更指示により変更される前又は変更されたパスロスリファレンスを採用してパワーヘッドルームＰＨを算出させることにより、パワーヘッドルームＰＨ算出の柔軟性を向上させ、異なるシーン又はサービスなどのニーズに適応することができる。
【００４９】
好ましい実施形態では、前記パスロスリファレンスの変更指示の受信時間が、前記第１の時間よりも前の場合、前記第１の時間に使用されたパスロスリファレンスは、前記パスロスリファレンスの変更指示により変更されたパスロスリファレンスを含み、又は
前記パスロスリファレンスの変更指示の受信時間が、前記第１の時間よりも後の場合、前記第１の時間に使用されたパスロスリファレンスは、前記パスロスリファレンスの変更指示により変更される前のパスロスリファレンスを含み、又は
前記パスロスリファレンスの変更指示の受信時間が、前記第１の時間と重なる場合、前記第１の時間に使用されたパスロスリファレンスは、前記パスロスリファレンスの変更指示により変更される前のパスロスリファレンス、又は前記パスロスリファレンスの変更指示により変更されたパスロスリファレンスを含む。
【００５０】
この実施形態では、前記パスロスリファレンスの変更指示の受信時間が第１の時間よりも前の場合、パスロスリファレンスの変更指示により変更されたパスロスリファレンスを採用してパワーヘッドルームＰＨを算出させることにより、端末が基地局に報告したパワーヘッドルームレポートＰＨＲにおけるパワーヘッドルームＰＨが、基地局がパワーヘッドルームＰＨを算出するために採用したパスロスリファレンスと一致することを保証し、報告の正確性を向上させることができる。
【００５１】
さらに、パスロスリファレンスの変更指示の受信時間が前記第１の時間よりも後の場合、パスロスリファレンスの変更指示により変更される前のパスロスリファレンスを採用してパワーヘッドルームＰＨを算出させることにより、変更されたパスロスリファレンスを用いてパワーヘッドルームＰＨを再び算出する必要がないため、パワーヘッドルームレポートＰＨＲの報告効率を向上させることができる。
【００５２】
さらに、上記受信時間が前記第１の時間と重なる場合、パスロスリファレンスの変更指示により変更される前又は変更されたパスロスリファレンスを採用してパワーヘッドルームＰＨを算出させることにより、パワーヘッドルームＰＨ算出の柔軟性を向上させ、異なるシーン又はサービスなどのニーズに適応することができる。
【００５３】
当然ながら、本実施例では、さらに、以下のステップ３０３を含んでよい。
【００５４】
ステップ３０３では、上記特定のパスロスリファレンスを採用して算出したパワーヘッドルームＰＨを含むパワーヘッドルームレポートＰＨＲを報告する。
【００５５】
当然ながら、上記パワーヘッドルームレポートＰＨＲは、さらに、セル最大送信電力を含んでよい。上記報告は、パワーヘッドルームレポートＰＨＲを基地局に報告したり、ネットワーク側にパワーヘッドルームレポートＰＨＲを報告したりすることができる。
【００５６】
本実施例では、上記説明した種々の好ましい実施形態により、端末が異なるパスロスリファレンスを柔軟に採用してパワーヘッドルームＰＨを算出させることにより、端末がパワーヘッドルームＰＨを報告する性能を向上させることができる。
【００５７】
以下、図４を参照しながら上記説明した種々の好ましい実施形態について例を挙げて説明する。
【００５８】
図４に示すように、第１のステップでは、図４におけるｔ１の時間に、ユーザ端末ＵＥがパワーヘッドルームレポートＰＨＲ報告をトリガーする（ＰＨＲ  ｔｒｉｇｇｅｒ）。第２のステップでは、図４におけるｔ２時間に、ユーザ端末ＵＥが該パワーヘッドルームレポートＰＨＲを含むＭＡＣ  ＰＤＵを生成し（ＰＨＲ  ＭＡＣ  ＰＤＵ  Ａｓｓｅｍｂｌｙ）、第３のステップでは、図４におけるｔ３時間に、ユーザ端末ＵＥがパワーヘッドルームレポートＰＨＲを報告する（ＰＨＲ  Ｔｒａｎｓｍｉｓｓｉｏｎ）。また、図４における３つのパスロスリファレンスの変更指示（Ｃｈａｎｇｅ  ｏｆ  ｐａｔｈ  ｌｏｓｓ  ｒｅｆｅｒｅｎｃｅ）の受信時間ｔｘは、パスロスリファレンスの変更指示の送信には、ｔｘがｔ１よりも前であること、ｔｘがｔ１よりも後、かつｔ２よりも前であること、ｔｘがｔ２よりも後、かつｔ３よりも前であること、の３つの状況があることを表すことができる。当然ながら、本開示の実施例においても、端末が図４に示す時間範囲内で複数のパスロスリファレンスの変更指示を受信することを排除しない。
【００５９】
図４に示す状況で、ユーザ端末ＵＥにより報告されたパワーヘッドルームレポートＰＨＲにおけるパワーヘッドルームＰＨ値が採用したパスロスリファレンスは、以下の方法１〜３のいずれかを含む。
【００６０】
方法１、直近に使用されたパスロスリファレンス（又は最も新しく使用されたパスロスリファレンスと呼ばれる）。例えば、図４に示すように、ネットワークがｔｘ時刻にユーザ端末ＵＥのＰＵＳＣＨのパスロスリファレンスを「パスロスリファレンス１」から「パスロスリファレンス２」に変更するように指示する場合、ユーザ端末ＵＥは、「パスロスリファレンス２」を採用して該ＰＵＳＣＨのパワーヘッドルームＰＨ値を算出する。例えば、（１）該ｔｘがｔ２よりも前の場合、ユーザ端末ＵＥは、該ｔｘ時刻に指示された、変更された新たなパスロスリファレンスを採用してパワーヘッドルームＰＨを算出し、（２）該ｔｘがｔ２よりも後又はｔ２である場合、ユーザ端末ＵＥは、該ｔｘ時刻に指示された、変更された新たなパスロスリファレンスを採用してパワーヘッドルームＰＨ（ｔｘ）を算出し、かつｔ２時刻に含まれるパワーヘッドルームレポートＰＨＲのパワーヘッドルームＰＨ（ｔ２）値を、ｔｘ時刻に指示された、変更された新たなパスロスリファレンスで算出したパワーヘッドルームＰＨ（ｔｘ）に修正する。
【００６１】
方法２、該ＰＨＲ  ＭＡＣ  ＰＤＵを生成すると同時に、又はそれよりも前に、直近に使用されたパスロスリファレンス（又はＰＨＲ  ＭＡＣ  ＰＤＵを生成する時間又はパワーヘッドルームレポートＰＨＲを報告する時刻よりも前の指定時間である前記第２の時間に使用されたパスロスリファレンス、又は前記第２の時間よりも前に最も新しく使用されたパスロスリファレンスと呼ばれてよい。）図４に示すように、ネットワークがｔｘ時刻にユーザ端末ＵＥのＰＵＳＣＨのパスロスリファレンスを「パスロスリファレンス１」から「パスロスリファレンス２」に変更するように指示し、（１）ｔｘがｔ２よりも前の場合、ユーザ端末ＵＥは、該ｔｘ時刻に指示された、変更された新たなパスロスリファレンスを採用してパワーヘッドルームＰＨ（ｔｘ）を算出し、（２）ｔｘがｔ２よりも後の場合、ユーザ端末ＵＥは、依然としてｔ２時刻よりも前のパスロスリファレンスを採用し、（３）ｔｘがｔ２である場合、ユーザ端末ＵＥは、依然としてｔ２時刻よりも前のパスロスリファレンスを採用するか、又はｔｘ（すなわち、ｔ２）時刻に変更されたパスロスリファレンスを採用する。
【００６２】
方法３、パワーヘッドルームレポートＰＨＲをトリガーするときに採用されたパスロスリファレンス（又は、パワーヘッドルームレポートＰＨＲをトリガーする時間である第１の時間に使用されたパスロスリファレンスと呼ばれる）。図４に示すように、ネットワークがｔｘ時刻にユーザ端末ＵＥのＰＵＳＣＨのパスロスリファレンスを「パスロスリファレンス１」から「パスロスリファレンス２」に変更するように指示し、（１）ｔｘがｔ１よりも前の場合、ユーザ端末ＵＥは、該ｔｘ時刻に指示された、変更された新たなパスロスリファレンスを採用してパワーヘッドルームＰＨ（ｔｘ）を算出し、（２）ｔｘがｔ１よりも後の場合、ユーザ端末ＵＥは、依然としてｔ１時刻よりも前のパスロスリファレンスを採用し、（３）ｔｘがｔ１である場合、ユーザ端末ＵＥは、依然としてｔ１時刻よりも前のパスロスリファレンスを採用するか、又はｔｘ（すなわち、ｔ１）時刻に変更されたパスロスリファレンスを採用する。
【００６３】
本開示の実施例に係る方法を採用すると、ユーザ端末ＵＥのパスロスリファレンスが、パワーヘッドルームレポートＰＨＲをトリガーした後、パワーヘッドルームレポートＰＨＲを報告する前に変更された場合、ユーザ端末ＵＥがパワーヘッドルームＰＨ値を算出するために採用したパスロスリファレンスを規定することにより、ネットワーク側とユーザ端末ＵＥ側が該パワーヘッドルームＰＨ値を算出するために採用したパスロスリファレンスを一致させる。
【００６４】
図５は、本開示の実施例に係る端末の構成図であり、図５に示すように、端末５００は、
パスロスリファレンスの変更指示を受信するための受信モジュール５０１と、
前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出するための算出モジュール５０２と、を含む。
【００６５】
好ましくは、前記特定のパスロスリファレンスは、
最も新しく使用されたパスロスリファレンス、又は
前記端末がパワーヘッドルームレポートＰＨＲをトリガーする時間である第１の時間、又は前記端末がパワーヘッドルームレポートパワーヘッドルームレポートＰＨＲを含むプロトコルデータユニットＰＤＵを生成する時間又はパワーヘッドルームレポートＰＨＲを報告する時刻よりも前の指定時間である第２の時間に対応するパスロスリファレンスを含む。
【００６６】
好ましくは、前記第１の時間に対応するパスロスリファレンスは、
前記第１の時間に使用されたパスロスリファレンスを含み、及び／又は
前記第２の時間に対応するパスロスリファレンスは、
前記第２の時間に使用されたパスロスリファレンス、又は前記第２の時間よりも前に最も新しく使用されたパスロスリファレンスを含む。
【００６７】
好ましくは、前記パスロスリファレンスの変更指示の受信時間が、前記第２の時間よりも前の場合、前記最も新しく使用されたパスロスリファレンスは、前記パスロスリファレンスの変更指示により変更されたパスロスリファレンスを含み、或いは、
前記パスロスリファレンスの変更指示の受信時間が前記第２の時間よりも後の場合、又は前記パスロスリファレンスの変更指示の受信時間が前記第２の時間と重なる場合、前記最も新しく使用されたパスロスリファレンスは、前記パスロスリファレンスの変更指示により変更されたパスロスリファレンスを含み、前記端末は、前記パワーヘッドルームレポートＰＨＲにおけるパワーヘッドルームＰＨ値を、前記変更されたパスロスリファレンスを採用して算出したパワーヘッドルームＰＨに変更する。
【００６８】
好ましくは、前記パスロスリファレンスの変更指示の受信時間が、前記第２の時間よりも前の場合、前記第２の時間に対応するパスロスリファレンスは、前記パスロスリファレンスの変更指示により変更されたパスロスリファレンスを含み、或いは、
前記パスロスリファレンスの変更指示の受信時間が、前記第２の時間よりも後の場合、前記第２の時間に対応するパスロスリファレンスは、前記パスロスリファレンスの変更指示により変更される前のパスロスリファレンスを含み、或いは、
前記パスロスリファレンスの変更指示の受信時間が、前記第２の時間と重なる場合、前記第２の時間に対応するパスロスリファレンスは、前記パスロスリファレンスの変更指示により変更される前のパスロスリファレンス、又は前記パスロスリファレンスの変更指示により変更されたパスロスリファレンスを含む。
【００６９】
好ましくは、前記パスロスリファレンスの変更指示の受信時間が、前記第１の時間よりも前の場合、前記第１の時間に使用された前記パスロスリファレンスは、前記パスロスリファレンスの変更指示により変更されたパスロスリファレンスを含み、或いは、
前記パスロスリファレンスの変更指示の受信時間が、前記第１の時間よりも後の場合、前記第１の時間に使用された前記パスロスリファレンスは、前記パスロスリファレンスの変更指示により変更される前のパスロスリファレンスを含み、或いは、
前記パスロスリファレンスの変更指示の受信時間が、前記第１の時間と重なる場合、前記第１の時間に使用された前記パスロスリファレンスは、前記パスロスリファレンスの変更指示により変更される前のパスロスリファレンス、又は前記パスロスリファレンスの変更指示により変更されたパスロスリファレンスを含む。
【００７０】
本開示の実施例に係る端末は、図２及び図４の方法の実施例における端末が実現する各プロセスを実現でき、重複を避けるために、ここでは説明を省略し、端末がパワーヘッドルームＰＨを報告する性能を向上させることができる。
【００７１】
図６は、本開示の各実施例を実現する端末のハードウェア概略構成図であり。
該端末６００は、無線周波数ユニット６０１、ネットワークモジュール６０２、オーディオ出力ユニット６０３、入力ユニット６０４、センサ６０５、表示ユニット６０６、ユーザ入力ユニット６０７、インタフェースユニット６０８、メモリ６０９、プロセッサ６１０、及び電源６１１などの部品を含むが、これらに限定されない。当業者が理解できるように、図６に示す端末の構成は、端末を限定するものではなく、端末は、図示より多いか又は少ない部品を含んでよく、ある部品を組み合わせたり、異なる部品を配置したりしてよい。本開示の実施例では、端末は、携帯電話、タブレットコンピュータ、ノートパソコン、パームトップコンピュータ、車載端末、ウェアラブルデバイス及び歩数計などを含むが、これらに限定されない。
【００７２】
無線周波数ユニット６０１は、パスロスリファレンスの変更指示を受信する。
【００７３】
プロセッサ６１０は、前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出する。
【００７４】
好ましくは、前記特定のパスロスリファレンスは、
最も新しく使用されたパスロスリファレンス、又は
前記端末がパワーヘッドルームレポートＰＨＲをトリガーする時間である第１の時間、又は前記端末がパワーヘッドルームレポートＰＨＲを含むプロトコルデータユニットＰＤＵを生成する時間又はパワーヘッドルームレポートＰＨＲを報告する時刻よりも前の指定時間である第２の時間に対応するパスロスリファレンスを含む。
【００７５】
好ましくは、前記第１の時間に対応するパスロスリファレンスは、
前記第１の時間に使用されたパスロスリファレンスを含み、及び／又は
前記第２の時間に対応するパスロスリファレンスは、
前記第２の時間に使用されたパスロスリファレンス、又は前記第２の時間よりも前に最も新しく使用されたパスロスリファレンスを含む。
【００７６】
好ましくは、前記パスロスリファレンスの変更指示の受信時間が、前記第２の時間よりも前の場合、前記最も新しく使用されたパスロスリファレンスは、前記パスロスリファレンスの変更指示により変更されたパスロスリファレンスを含み、或いは、
前記パスロスリファレンスの変更指示の受信時間が前記第２の時間よりも後の場合、又は前記パスロスリファレンスの変更指示の受信時間が前記第２の時間と重なる場合、前記最も新しく使用されたパスロスリファレンスは、前記パスロスリファレンスの変更指示により変更されたパスロスリファレンスを含み、前記端末は、前記パワーヘッドルームレポートＰＨＲにおけるパワーヘッドルームＰＨ値を、前記変更されたパスロスリファレンスを採用して算出したパワーヘッドルームＰＨに変更する。
【００７７】
好ましくは、前記パスロスリファレンスの変更指示の受信時間が、前記第２の時間よりも前の場合、前記第２の時間に対応するパスロスリファレンスは、前記パスロスリファレンスの変更指示により変更されたパスロスリファレンスを含み、或いは、
前記パスロスリファレンスの変更指示の受信時間が、前記第２の時間よりも後の場合、前記第２の時間に対応するパスロスリファレンスは、前記パスロスリファレンスの変更指示により変更される前のパスロスリファレンスを含み、或いは、
前記パスロスリファレンスの変更指示の受信時間が、前記第２の時間と重なる場合、前記第２の時間に対応するパスロスリファレンスは、前記パスロスリファレンスの変更指示により変更される前のパスロスリファレンス、又は前記パスロスリファレンスの変更指示により変更されたパスロスリファレンスを含む。
【００７８】
好ましくは、前記パスロスリファレンスの変更指示の受信時間が、前記第１の時間よりも前の場合、前記第１の時間に使用された前記パスロスリファレンスは、前記パスロスリファレンスの変更指示により変更されたパスロスリファレンスを含み、或いは、
前記パスロスリファレンスの変更指示の受信時間が、前記第１の時間よりも後の場合、前記第１の時間に使用された前記パスロスリファレンスは、前記パスロスリファレンスの変更指示により変更される前のパスロスリファレンスを含み、或いは、
前記パスロスリファレンスの変更指示の受信時間が、前記第１の時間と重なる場合、前記第１の時間に使用された前記パスロスリファレンスは、前記パスロスリファレンスの変更指示により変更される前のパスロスリファレンス、又は前記パスロスリファレンスの変更指示により変更されたパスロスリファレンスを含む。
【００７９】
上記端末は、端末がパワーヘッドルームＰＨを報告する性能を向上させることができる。
【００８０】
なお、本開示の実施例では、無線周波数ユニット６０１は、情報の送受信又は通話中の信号の送受信に用いられてよく、具体的には、基地局からのダウンリンクデータを受信した後、プロセッサ６１０に処理させ、また、アップリンクデータを基地局に送信することを理解されたい。一般的には、無線周波数ユニット６０１は、アンテナ、少なくとも１つの増幅器、送受信機、カプラ、低雑音増幅器、デュプレクサなどを含むが、これらに限定されない。また、無線周波数ユニット６０１は、さらに、無線通信システムによりネットワーク及び他の装置と通信することができる。
【００８１】
端末は、ネットワークモジュール６０２によりユーザに無線のブロードバンドインターネットアクセスを提供して、ユーザの電子メールの送受信、ウェブの閲覧及びストリーミングメディアのアクセスなどを助ける。
【００８２】
オーディオ出力ユニット６０３は、無線周波数ユニット６０１又はネットワークモジュール６０２によって受信されるか又はメモリ６０９に記憶されているオーディオデータを、オーディオ信号に変換して音声として出力することができる。そして、オーディオ出力ユニット６０３は、さらに、端末６００によって実行される特定の機能に関連するオーディオ出力（例えば、呼出音、メッセージ着信音等）を提供することができる。オーディオ出力ユニット６０３は、スピーカー、ブザー及びレシーバーなどを含む。
【００８３】
入力ユニット６０４は、オーディオ又はビデオ信号を受信する。入力ユニット６０４は、グラフィック処理ユニット（Ｇｒａｐｈｉｃｓ  Ｐｒｏｃｅｓｓｉｎｇ  Ｕｎｉｔ、ＧＰＵ）６０４１及びマイクロフォン６０４２を含んでよく、グラフィックプロセッサ６０４１は、動画撮影モード又は撮影モードで撮影装置（例えば、カメラ）によって取得された静止画像又はビデオの画像データを処理する。処理後の画像フレームは、表示ユニット６０６に表示することができる。グラフィック処理ユニット６０４１によって処理された画像フレームは、メモリ６０９（又は他の記憶媒体）に記憶されてもよく、無線周波数ユニット６０１又はネットワークモジュール６０２によって送信されてもよい。マイクロフォン６０４２は、音声を受信し、かつこのような音声をオーディオデータに処理することができる。処理後のオーディオデータは、電話通話モードの場合に無線周波数ユニット６０１によって移動通信基地局に送信可能なフォーマットに変換されて出力することができる。
【００８４】
端末６００は、さらに、光センサ、動きセンサ及び他のセンサなどの少なくとも１種のセンサ６０５を含んでよい。具体的には、光センサは、環境光線の明るさに応じて表示パネル６０６１の輝度を調節することができる環境光センサと、端末６００が耳元に移動するときに、表示パネル６０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向きと横向きの切替、ゲーム関連、磁力計の姿勢較正）、振動識別に関連する機能（例えば、歩数計、タッピング）などに用いられてよく、センサ６０５は、指紋センサ、圧力センサ、虹彩センサ、分子センサ、ジャイロスコープ、気圧計、湿度計、温度計、赤外線センサなどをさらに含んでよく、ここでは説明を省略する。
【００８５】
表示ユニット６０６は、ユーザによって入力された情報又はユーザに提供された情報を表示する。表示ユニット６０６は、表示パネル６０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル６０６１を配置することができる。
【００８６】
ユーザ入力ユニット６０７は、入力された数字又は文字情報を受信すると共に、端末のユーザ設定及び機能制御に関連するキー信号入力を生成することができる。具体的には、ユーザ入力ユニット６０７は、タッチパネル６０７１及び他の入力装置６０７２を含む。タッチパネル６０７１は、タッチスクリーンとも呼ばれ、その上又はその近くでのユーザのタッチ操作（例えば、指、スタイラスペンなどの任意の適切な物体又は付属品を用いるタッチパネル６０７１上又はタッチパネル６０７１の近くでのユーザの操作）を収集することができる。タッチパネル６０７１は、タッチ検出装置及びタッチコントローラという２つの部分を含んでよい。タッチ検出装置は、ユーザのタッチ方向を検出し、かつタッチ操作による信号を検出し、信号をタッチコントローラに伝送し、タッチコントローラは、タッチ検出装置からタッチ情報を受信し、タッチポイント座標に変換して、プロセッサ６１０に送信し、プロセッサ６１０から送信されたコマンドを受信し、実行する。また、抵抗式、容量式、赤外線式及び表面弾性波式などの複数のタイプでタッチパネル６０７１を実現することができる。タッチパネル６０７１に加えて、ユーザ入力ユニット６０７は、他の入力装置６０７２をさらに含んでよい。具体的には、他の入力装置６０７２は、物理キーボード、機能キー（例えば、ボリューム調節キー、スイッチキーなど）、トラックボール、マウス及び操作レバーを含み得るが、これらに限定されず、ここでは説明を省略する。
【００８７】
さらに、タッチパネル６０７１は、表示パネル６０６１をカバーすることができ、タッチパネル６０７１がその上又はその近くでのタッチ操作を検出した後、プロセッサ６１０に伝送してタッチイベントのタイプを決定し、その後にプロセッサ６１０は、タッチイベントのタイプに応じて対応する視覚的出力を表示パネル６０６１に提供する。図６において、タッチパネル６０７１と表示パネル６０６１は、２つの独立した部品として端末の入出力機能を実現するが、いくつかの実施例では、タッチパネル６０７１と表示パネル６０６１を一体化して端末の入出力機能を実現することができ、ここでは具体的に限定しない。
【００８８】
インタフェースユニット６０８は、外部装置と端末６００を接続するインタフェースである。例えば、外部装置は、有線／無線ヘッドフォンポート、外部電源（又は電池充電器）ポート、有線／無線データポート、メモリカードポート、識別モジュールを備えた装置との接続のためのポート、オーディオ入力／出力（Ｉ／Ｏ）ポート、ビデオＩ／Ｏポート、ヘッドフォンポート等を含んでよい。インタフェースユニット６０８は、外部装置からの入力（例えば、データ情報、電力など）を受信すると共に、受信した入力を端末６００内の１つ以上の素子に伝送するか又は端末６００と外部装置との間にデータを伝送することができる。
【００８９】
メモリ６０９は、ソフトウェアプログラム及び様々なデータを記憶することができる。メモリ６０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ６０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００９０】
プロセッサ６１０は、端末の制御センターであり、様々なインタフェースと回線により端末全体の各部分に接続され、メモリ６０９に記憶されているソフトウェアプログラム及び／又はモジュールを動作させるか又は実行し、メモリ６０９に記憶されているデータを呼び出すことにより、端末の様々な機能とデータ処理を実行して、端末全体を監視する。プロセッサ６１０は、１つ以上の処理ユニットを含んでよく、好ましくは、プロセッサ６１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ６１０に集積されなくてよいことを理解されたい。
【００９１】
端末６００は、さらに、各部品に給電する電源６１１（例えば、電池）を含んでよく、好ましくは、電源６１１は、電源管理システムによりプロセッサ６１０と論理的に接続されて、電源管理システムにより充電、放電の管理及び消費電力の管理などの機能を実現することができる。
【００９２】
また、端末６００は、いくつかの未図示の機能モジュールを含み、ここでは説明を省略する。
【００９３】
好ましくは、本開示の実施例は、プロセッサ６１０と、メモリ６０９と、メモリ６０９上に記憶されてプロセッサ６１０上で実行可能で、プロセッサ６１０によって実行されると、上記パワーヘッドルームＰＨの算出方法の実施例の各プロセスを実現し、かつ同様な技術的効果を達成することができるコンピュータプログラムとを含む端末をさらに提供し、重複を避けるため、ここでは説明を省略する。
【００９４】
本開示の実施例は、プロセッサによって実行されると、本開示の実施例に係るパワーヘッドルームＰＨの算出方法の実施例の各プロセスを実現し、かつ同様な技術的効果を達成することができるコンピュータプログラムが記憶されているコンピュータ読み取り可能な記憶媒体をさらに提供し、重複を避けるため、ここでは説明を省略する。前記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【００９５】
なお、本明細書において、用語「含む」、「備える」及びそれらのいかなる変形は、非排他的な包含をカバーすることを意図し、一連の要素を含むプロセス、方法、製品又は装置は、それらの要素を含むだけでなく、明確に例示されていない他の要素をさらに含むか、又はこれらのプロセス、方法、製品又は装置に固有の要素をさらに含む。より多くの限定がない場合に、語句「１つ・・・を含む」により限定された要素は、該要素を含むプロセス、方法、物品又は装置に別の同一の要素がさらに存在する可能性があることを排除するものではない。
【００９６】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分がソフトウェア製品の形態で具現化されてよく、該コンピュータソフトウェア製品は、記憶媒体（例えば、ＲＯＭ／ＲＡＭ、磁気ディスク、光ディスク）に記憶されており、１台の端末（携帯電話、コンピュータ、サーバ、エアコン又はネットワーク装置などであってよい）に本開示の各実施例に記載の方法を実行させるための複数の命令を含む。
【００９７】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに多くの形式を行うことができ、これらは、いずれも本開示の保護範囲内に属する。
【図１】
2021528892.tif 000003
【図２】
2021528892.tif 000004
【図３】
2021528892.tif 000005
【図４】
2021528892.tif 000006
【図５】
2021528892.tif 000007
【図６】
2021528892.tif 000008
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
端末に適用されるパワーヘッドルームＰＨの算出方法であって、
パスロスリファレンスの変更指示を受信することと、
前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出することとを含む、パワーヘッドルームＰＨの算出方法。
【請求項２】
前記特定のパスロスリファレンスは、
最も新しく使用されたパスロスリファレンス、又は
前記端末がパワーヘッドルームレポートＰＨＲをトリガーする時間である第１の時間、又は前記端末がパワーヘッドルームレポートＰＨＲを含むプロトコルデータユニットＰＤＵを生成する時間又はパワーヘッドルームレポートＰＨＲを報告する時刻よりも前の指定時間である第２の時間に対応するパスロスリファレンスを含む、請求項１に記載のパワーヘッドルームＰＨの算出方法。
【請求項３】
前記第１の時間に対応するパスロスリファレンスは、
前記第１の時間に使用されたパスロスリファレンスを含み、及び／又は
前記第２の時間に対応するパスロスリファレンスは、
前記第２の時間に使用されたパスロスリファレンス、又は前記第２の時間よりも前に最も新しく使用されたパスロスリファレンスを含む、請求項２に記載のパワーヘッドルームＰＨの算出方法。
【請求項４】
前記パスロスリファレンスの変更指示の受信時間が、前記第２の時間よりも前の場合、前記最も新しく使用されたパスロスリファレンスは、前記パスロスリファレンスの変更指示により変更されたパスロスリファレンスを含む、請求項３に記載のパワーヘッドルームＰＨの算出方法。
【請求項５】
前記パスロスリファレンスの変更指示の受信時間が前記第２の時間よりも後の場合、又は前記パスロスリファレンスの変更指示の受信時間が前記第２の時間と重なる場合、前記最も新しく使用されたパスロスリファレンスは、前記パスロスリファレンスの変更指示により変更されたパスロスリファレンスを含み、前記端末は、前記パワーヘッドルームレポートＰＨＲにおけるパワーヘッドルームＰＨ値を、前記変更されたパスロスリファレンスを採用して算出したパワーヘッドルームＰＨに変更する、請求項３に記載のパワーヘッドルームＰＨの算出方法。
【請求項６】
前記パスロスリファレンスの変更指示の受信時間が、前記第２の時間よりも前の場合、前記第２の時間に対応するパスロスリファレンスは、前記パスロスリファレンスの変更指示により変更されたパスロスリファレンスを含み、或いは、
前記パスロスリファレンスの変更指示の受信時間が、前記第２の時間よりも後の場合、前記第２の時間に対応するパスロスリファレンスは、前記パスロスリファレンスの変更指示により変更される前のパスロスリファレンスを含み、或いは、
前記パスロスリファレンスの変更指示の受信時間が、前記第２の時間と重なる場合、前記第２の時間に対応するパスロスリファレンスは、前記パスロスリファレンスの変更指示により変更される前のパスロスリファレンス、又は前記パスロスリファレンスの変更指示により変更されたパスロスリファレンスを含む、請求項２に記載のパワーヘッドルームＰＨの算出方法。
【請求項７】
前記パスロスリファレンスの変更指示の受信時間が、前記第１の時間よりも前の場合、前記第１の時間に使用されたパスロスリファレンスは、前記パスロスリファレンスの変更指示により変更されたパスロスリファレンスを含み、或いは、
前記パスロスリファレンスの変更指示の受信時間が、前記第１の時間よりも後の場合、前記第１の時間に使用された前記パスロスリファレンスは、前記パスロスリファレンスの変更指示により変更される前のパスロスリファレンスを含み、或いは、
前記パスロスリファレンスの変更指示の受信時間が、前記第１の時間と重なる場合、前記第１の時間に使用された前記パスロスリファレンスは、前記パスロスリファレンスの変更指示により変更される前のパスロスリファレンス、又は前記パスロスリファレンスの変更指示により変更されたパスロスリファレンスを含む、請求項３に記載のパワーヘッドルームＰＨの算出方法。
【請求項８】
パスロスリファレンスの変更指示を受信するための受信モジュールと、
前記パスロスリファレンスの変更指示により変更される前のパスロスリファレンス、又は前記パスロスリファレンスの変更指示により変更されたパスロスリファレンスを含む特定のパスロスリファレンスを採用してパワーヘッドルームＰＨを算出するための算出モジュールと、を含む、端末。
【請求項９】
前記特定のパスロスリファレンスは、
最も新しく使用されたパスロスリファレンス、又は
前記端末がパワーヘッドルームレポートＰＨＲをトリガーする時間である第１の時間、又は前記端末がパワーヘッドルームレポートＰＨＲを含むプロトコルデータユニットＰＤＵを生成する時間又はパワーヘッドルームレポートＰＨＲを報告する時刻よりも前の指定時間である第２の時間に対応するパスロスリファレンスを含む、請求項８に記載の端末。
【請求項１０】
前記第１の時間に対応するパスロスリファレンスは、
前記第１の時間に使用されたパスロスリファレンス、及び／又は
前記第２の時間に対応するパスロスリファレンスは、
前記第２の時間に使用されたパスロスリファレンス、又は前記第２の時間よりも前に最も新しく使用されたパスロスリファレンスを含む、請求項９に記載の端末。
【請求項１１】
前記パスロスリファレンスの変更指示の受信時間が、前記第２の時間よりも前の場合、前記最も新しく使用されたパスロスリファレンスは、前記パスロスリファレンスの変更指示により変更されたパスロスリファレンスを含む、請求項１０に記載の端末。
【請求項１２】
前記パスロスリファレンスの変更指示の受信時間が前記第２の時間よりも後の場合、又は前記パスロスリファレンスの変更指示の受信時間が前記第２の時間と重なる場合、前記最も新しく使用されたパスロスリファレンスは、前記パスロスリファレンスの変更指示により変更されたパスロスリファレンスを含み、前記端末は、前記パワーヘッドルームレポートＰＨＲにおけるパワーヘッドルームＰＨ値を、前記変更されたパスロスリファレンスを採用して算出したパワーヘッドルームＰＨに変更する、請求項１０に記載の端末。
【請求項１３】
前記パスロスリファレンスの変更指示の受信時間が、前記第２の時間よりも前の場合、前記第２の時間に対応するパスロスリファレンスは、前記パスロスリファレンスの変更指示により変更されたパスロスリファレンスを含み、或いは、
前記パスロスリファレンスの変更指示の受信時間が、前記第２の時間よりも後の場合、前記第２の時間に対応するパスロスリファレンスは、前記パスロスリファレンスの変更指示により変更される前のパスロスリファレンスを含み、或いは、
前記パスロスリファレンスの変更指示の受信時間が、前記第２の時間と重なる場合、前記第２の時間に対応するパスロスリファレンスは、前記パスロスリファレンスの変更指示により変更される前のパスロスリファレンス、又は前記パスロスリファレンスの変更指示により変更されたパスロスリファレンスを含む、請求項９に記載の端末。
【請求項１４】
前記パスロスリファレンスの変更指示の受信時間が、前記第１の時間よりも前の場合、前記第１の時間に使用されたパスロスリファレンスは、前記パスロスリファレンスの変更指示により変更されたパスロスリファレンスを含み、或いは、
前記パスロスリファレンスの変更指示の受信時間が、前記第１の時間よりも後の場合、前記第１の時間に使用された前記パスロスリファレンスは、前記パスロスリファレンスの変更指示により変更される前のパスロスリファレンスを含み、或いは、
前記パスロスリファレンスの変更指示の受信時間が、前記第１の時間と重なる場合、前記第１の時間に使用された前記パスロスリファレンスは、前記パスロスリファレンスの変更指示により変更される前のパスロスリファレンス、又は前記パスロスリファレンスの変更指示により変更されたパスロスリファレンスを含む、請求項１０に記載の端末。
【請求項１５】
コンピュータプログラムが記憶されているコンピュータ読み取り可能な記憶媒体であって、
前記コンピュータプログラムがプロセッサにより実行されると、請求項１〜７のいずれか１項に記載のパワーヘッドルームＰＨの算出方法が実現されるコンピュータ読み取り可能な記憶媒体コンピュータ読み取り可能な記憶媒体。
【国際調査報告】
2021528892.tif 000009
2021528892.tif 000010
2021528892.tif 000011
2021528892.tif 000012